(57)【特許請求の範囲】
【請求項１】
おむつの内側に装着する吸収パッドであって、
長手方向と、
前記長手方向に直交する幅方向と、
前記長手方向及び前記幅方向と直交する厚み方向と、
表面シートと、
裏面シートと、
前記表面シートと前記裏面シートとの間の吸収体と、
前記裏面シートの非肌面側で前記幅方向に延び、前記おむつに係止する係止部と、を有し、
前記厚み方向において前記係止部と重複する領域上に剛性差を付ける剛性変化部が、前記吸収体の非肌面、又は前記吸収体よりも非肌面側に設けられており、
前記剛性変化部は、前記係止部が延びる方向に対して傾いた傾斜方向に沿って並んだ複数の点状の凹部の集合、又は前記傾斜方向に沿って延びる線状の凹部を含む、吸収パッド。
【請求項２】
おむつの内側に装着する吸収パッドであって、
長手方向と、
前記長手方向に直交する幅方向と、
前記長手方向及び前記幅方向と直交する厚み方向と、
表面シートと、
裏面シートと、
前記表面シートと前記裏面シートとの間の吸収体と、
前記裏面シートの非肌面側で前記幅方向に延び、前記おむつに係止する係止部と、を有し、
前記厚み方向において前記係止部と重複する領域上に剛性差を付ける剛性変化部が、前記吸収体の非肌面、又は前記吸収体よりも非肌面側に設けられており、
前記剛性変化部は、前記係止部が延びる方向に対して傾く、互いに交差する一対の傾斜方向に沿って並んだ複数の点状の凹部の集合、又は前記一対の傾斜方向に沿って延びる線状の凹部を含み、
前記複数の点状の凹部の集合又は前記線状の凹部は、少なくとも前記係止部と重複する領域において格子の形状に設けられている、吸収パッド。
【請求項３】
前記格子の複数の頂点が、前記係止部と重複する領域において、前記幅方向に間隔をあけて並んでいる、請求項２に記載の吸収パッド。
【請求項４】
前記長手方向における前記係止部の長さは、前記格子によって規定される１つの四角形の前記長手方向における長さの半分よりも長い、請求項３に記載の吸収パッド。
【請求項５】
前記幅方向における中心よりも一方側で前記格子を構成する四角形の数は、少なくとも前記係止部と重複する領域において、前記幅方向における中心よりも他方側で前記格子を構成する四角形の数と等しい、請求項２から４のいずれか１項に記載の吸収パッド。
【請求項６】
おむつの内側に装着する吸収パッドであって、
長手方向と、
前記長手方向に直交する幅方向と、
前記長手方向及び前記幅方向と直交する厚み方向と、
表面シートと、
裏面シートと、
前記表面シートと前記裏面シートとの間の吸収体と、
前記裏面シートの非肌面側で前記幅方向に延び、前記おむつに係止する係止部と、を有し、
前記厚み方向において前記係止部と重複する領域上に剛性差を付ける剛性変化部が、前記吸収体の非肌面、又は前記吸収体よりも非肌面側に設けられており、
前記幅方向における前記係止部の長さは、前記幅方向における前記吸収パッドの長さよりも短く、
前記剛性変化部は、前記係止部よりも前記幅方向の外側にも設けられている、吸収パッド。
【請求項７】
前記剛性変化部は、前記吸収体の非肌面に形成された凹部である、請求項１から請求項６のいずれか１項に記載の吸収パッド。
【請求項８】
おむつの内側に装着する吸収パッドであって、
長手方向と、
前記長手方向に直交する幅方向と、
前記長手方向及び前記幅方向と直交する厚み方向と、
表面シートと、
裏面シートと、
前記表面シートと前記裏面シートとの間の吸収体と、
前記裏面シートの非肌面側で前記幅方向に延び、前記おむつに係止する係止部と、を有し、
前記厚み方向において前記係止部と重複する領域上に剛性差を付ける剛性変化部が、前記吸収体の非肌面、又は前記吸収体よりも非肌面側に設けられており、
前記剛性変化部は、前記吸収体の非肌面に形成された凹部であり、
前記凹部は、前記吸収体の非肌面側に形成されたエンボスであり、
前記エンボスは、前記係止部と重複する領域から前記係止部の外側の領域へ延びている、吸収パッド。
【請求項９】
前記係止部は、前記幅方向の中央を挟んで前記幅方向の両側に分断された第１係止部と第２係止部とを含む、請求項１から８のいずれか１項に記載の吸収パッド。
【請求項１０】
前記吸収体は、前記吸収体の縁を含む周縁領域と、前記周縁領域に囲まれた中央領域と、を有し、
前記係止部は、前記長手方向において前記中央領域よりも前側に配置された第１係止部と、前記長手方向において前記中央領域よりも後側に配置された第２係止部と、を含む、請求項１から９のいずれか１項に記載の吸収パッド。                                                                             
【発明の詳細な説明】
【技術分野】
【０００１】
本発明は、おむつの内側に装着する吸収パッドに関する。
【背景技術】
【０００２】
おむつの内側に装着されて用いられる体液吸収性インナーパネル（吸収パッド）が知られている。特許文献１は、そのような体液吸収性インナーパネルを開示している。特許文献１に記載された体液吸収性インナーパネルは、表面シートと、裏面シートと、表面シートと裏面シートとの間の吸収体と、を有する。この体液吸収性インナーパネルは、裏面シートの外面に、おむつの内面に掛着可能な雄型面ファスナを有する。雄型面ファスナは、体液吸収性インナーパネルの長手方向に直交する幅方向に延びている。
【先行技術文献】
【特許文献】
【０００３】
【特許文献１】特開２００１−１２９０１１号
【発明の概要】
【発明が解決しようとする課題】
【０００４】
一般に雄型面ファスナは、吸収パッドを構成する他の部材よりも高い剛性を有する。したがって、吸収パッドは、幅方向に延びた雄型面ファスナのせいで、着用者の腹や背の丸みに沿って変形し難くなる。したがって、着用者の腹や背の丸みに沿って変形したおむつの形状に追従して変形し難くなり、使用中に吸収パッドの一部がおむつから外れ易くなる。これにより装着感の低下や体液の漏れを引き起こす要因となり得る。
【０００５】
したがって、おむつから外れにくい吸収パッドが望まれる。
【課題を解決するための手段】
【０００６】
一態様に係るおむつの内側に装着する吸収パッドは、長手方向と、前記長手方向に直交する幅方向と、前記長手方向及び前記幅方向と直交する厚み方向と、表面シートと、裏面シートと、前記表面シートと前記裏面シートとの間の吸収体と、前記裏面シートの非肌面側で前記幅方向に延び、前記おむつに係止する係止部と、を有し、前記厚み方向において前記係止部と重複する領域上に剛性差を付ける剛性変化部が、前記吸収体の非肌面、又は前記吸収体よりも非肌面側に設けられている。
【発明の効果】
【０００７】
上記態様によれば、おむつから外れにくい吸収パッドを提供することができる。
【図面の簡単な説明】
【０００８】
【図１】図１は、一実施形態に係る吸収パッドの平面図である。
【図２】図２は、図１とは反対側から見た吸収パッドの平面図である。
【図３】図３は、図１のＦ３−Ｆ３線に沿った吸収パッドの断面図である。
【図４】図４は、一実施形態に係る吸収体の平面図である。
【図５】図５は、図４とは反対側から見た吸収体の平面図である。
【図６】図６は、別の実施形態に係る吸収パッドの平面図である。
【図７】図７は、吸収パッドを装着するおむつの一例を示す斜視図である。
【図８】図８は、展開したおむつに装着した吸収パッドを示す平面図である。
【発明を実施するための形態】
【０００９】
本明細書及び添付図面の記載により、少なくとも以下の事項が明らかとなる。
【００１０】
おむつの内側に装着する吸収パッドであって、
長手方向と、
前記長手方向に直交する幅方向と、
前記長手方向及び前記幅方向と直交する厚み方向と、
表面シートと、
裏面シートと、
前記表面シートと前記裏面シートとの間の吸収体と、
前記裏面シートの非肌面側で前記幅方向に延び、前記おむつに係止する係止部と、を有し、
前記厚み方向において前記係止部と重複する領域上に剛性差を付ける剛性変化部が、前記吸収体の非肌面、又は前記吸収体よりも非肌面側に設けられている、吸収パッド。
【００１１】
本態様によれば、剛性変化部が、係止部と重複する領域であって、吸収体の非肌面、又は吸収体よりも非肌面側に設けられている。すなわち、剛性変化部は、係止部と重複する領域で、かつ厚み方向において係止部に近接して設けられている。これにより、係止部は、剛性変化部による剛性差によって曲がり易くなる。したがって、吸収パッドは、幅方向に延びた係止部の領域でも曲がり易くなり、着用者の腹や背の丸みに沿って変形したおむつの形状に追従して変形し易くなる。よって、吸収パッドがおむつから外れにくくなる。
【００１２】
好ましい一態様によれば、剛性変化部は、前記吸収体の非肌面に形成された凹部である。
【００１３】
本態様によれば、吸収体の非肌面側に形成された凹部によって容易に剛性変化部を設けることができる。また、吸収体の非肌面側に凹部を形成することで、吸収体の肌面側の一面になるべく凹凸を付けないようにすることができる。これにより、着用者に心地良い着用感を与えることができる。
【００１４】
好ましい一態様によれば、前記剛性変化部は、前記係止部が延びる方向に対して傾いた傾斜方向に沿って並んだ複数の点状の凹部の集合、又は前記傾斜方向に沿って延びる線状の凹部を含む。
【００１５】
本態様によれば、剛性変化部は、係止部が延びる方向に対して傾いた傾斜方向に沿って配置されているため、係止部を幅方向により曲げ易くすることができる。これにより、吸収パッドは、幅方向に延びた係止部の領域でも、着用中のおむつの丸みに追従してより変形し易くなり、おむつからより外れにくくなる。
【００１６】
好ましい一態様によれば、前記剛性変化部は、前記係止部が延びる方向に対して傾く、互いに交差する一対の傾斜方向に沿って並んだ複数の点状の凹部の集合、又は前記一対の傾斜方向に沿って延びる線状の凹部を含み、前記複数の点状の凹部の集合又は前記線状の凹部は、少なくとも前記係止部と重複する領域において格子の形状に設けられている。
【００１７】
本態様によれば、剛性変化部は、係止部が延びる方向に対して傾いた傾斜方向に沿って配置されているため、係止部を幅方向により曲げ易くすることができる。さらに、複数の点状の凹部の集合又は線状の凹部が少なくとも係止部と重複する領域において格子状に設けられているため、係止部と重複する領域上で複数の箇所に剛性差が設けられる。これにより、吸収パッドは、係止部と重複する領域上で着用中のおむつの丸みに追従してより変形し易くなり、おむつからより外れにくくなる。
【００１８】
好ましい一態様によれば、前記格子の複数の頂点が、前記係止部と重複する領域において、前記幅方向に間隔をあけて並んでいる。
【００１９】
凹部からなる格子の複数の頂点が係止部と重複する領域において幅方向に間隔をあけて並んでいる。これにより、係止部と重複する領域において、高剛性の部分と低剛性の部分が幅方向に交互に並ぶ。したがって、係止部を幅方向により曲げ易くすることができ、吸収パッドは、係止部と重複する領域で着用中のおむつの丸みに追従してより変形し易くなり、おむつからより外れにくくなる。
【００２０】
好ましい一態様によれば、前記長手方向における前記係止部の長さは、前記格子によって規定される１つの四角形の前記長手方向における長さの半分よりも長い。
【００２１】
本態様により、係止部を格子状の凹部に合わせて正確に位置決めしなくても、剛性変化部が存在する領域上に係止部を配置すれば、格子の複数の頂点が係止部と重複する領域において幅方向に間隔をあけて並ぶことになる。これにより、係止部を幅方向により曲げ易くすることができ、吸収パッドは、幅方向に延びた係止部の領域で着用中のおむつの丸みに追従してより変形し易くなり、おむつからより外れにくくなる。
【００２２】
好ましい一態様によれば、前記幅方向における中心よりも一方側で前記格子を構成する四角形の数は、少なくとも前記係止部と重複する領域において、前記幅方向における中心よりも他方側で前記格子を構成する四角形の数と等しい。
【００２３】
少なくとも係止部と重複する領域において、凹部からなる格子を形成する四角形の数が幅方向における中心に関して左右同じ数だけ存在するので、係止部９０も幅方向における中心に関して対称に曲がり易くなる。これにより、着用中のユーザの違和感を低減することができる。
【００２４】
好ましい一態様によれば、前記凹部は、前記吸収体の非肌面側に形成されたエンボスであり、前記エンボスは、前記係止部と重複する領域から前記係止部の外側の領域へ延びている。
【００２５】
凹部が吸収体の非肌面側に形成されたエンボスであるため、吸収体の剛性を高めることができる。これにより、長時間使用したときに吸収体がよれることを抑制することができる。
【００２６】
好ましい一態様によれば、前記幅方向における前記係止部の長さは、前記幅方向における前記吸収パッドの長さよりも短く、前記剛性変化部は、前記係止部よりも前記幅方向の外側にも設けられている。
【００２７】
係止部よりも幅方向の外側に剛性変化部が存在するため、係止部よりも幅方向の外側の領域が、着用者の腹や背の丸みに合わせて変形し易くなる。これにより、吸収パッド全体が、着用者の腹や背の丸みに追従して変形し易くなる。
【００２８】
好ましい一態様によれば、前記係止部は、前記幅方向の中央を挟んで前記幅方向の両側に分断された第１係止部と第２係止部とを含む。
【００２９】
比較的剛性の高い係止部が幅方向における中央で分断されているため、係止部間における係止部が存在しない領域において、吸収パッドは、着用者の身体の丸みに追従して変形したおむつに沿ってより曲がり易くなる。さらに、各係止部にも剛性変化部が存在するため、係止部が存在しない領域よりは曲がりにくいものの、おむつの湾曲に沿って曲がり易くなっている。これにより、吸収パッドがおむつからより外れにくくなる。
【００３０】
好ましい一態様によれば、前記吸収体は、前記吸収体の縁を含む周縁領域と、前記周縁領域に囲まれた中央領域と、を有し、前記係止部は、前記長手方向において前記中央領域よりも前側に配置された第１係止部と、前記長手方向において前記中央領域よりも後側に配置された第２係止部と、を含む。
【００３１】
着用者の股下に対向する中央領域を避けて第１係止部及び第２係止部が設けられているため、吸収パッドの中央領域は着用者の動作に合わせて変形し易く、着用者の身体にフィットした状態を維持し易い。さらに、第１係止部及び第２係止部が周縁領域に設けられているため、吸収パッドは着用者の腰回り付近の領域でおむつにしっかりと取り付けられ、おむつから外れにくくなる。
【００３２】
以下、図面を参照して、一実施形態に係る吸収パッドの詳細について説明する。本発明の吸収パッドは、例えば、使い捨ておむつの内側に装着する吸収パッドに関する。使い捨ておむつは、大人用のおむつであってよい。
【００３３】
なお、以下の図面の記載において、同一又は類似の部分には、同一又は類似の符号を付している。ただし、図面は模式的なものであり、各寸法の比率等は現実のものとは異なることがあることに留意すべきである。したがって、具体的な寸法等は、以下の説明を参酌して判断すべきである。また、図面相互間においても互いの寸法の関係や比率が異なる部分が含まれ得る。
【００３４】
（１）吸収パッドの構成
図１は、一実施形態に係る吸収パッドの平面図である。図１は、伸長させた状態の吸収パッドを示している。図２は、図１とは反対側から見た吸収パッドの平面図である。図３は、図１のＦ３−Ｆ３線に沿った吸収パッドの断面図である。図４は、着用者の肌に対向する肌面側から見た、吸収パッドに備えられた吸収体の平面図である。図５は、図４とは反対側から見た吸収体の平面図である。
【００３５】
吸収パッド１０は、長手方向Ｌ及び幅方向Ｗを有する。長手方向Ｌは、着用者の前側（腹側）から後側（背側）に延びる方向、又は着用者の後側から前側に延びる方向である。幅方向Ｗは、長手方向Ｌと直交する方向である。以下、使用時に着用者の肌に面する側を、「肌面側」と呼ぶことがある。また、使用時に着用者の肌とは反対に向けられる側を、「非肌面側」と呼ぶことがある。
【００３６】
吸収パッド１０は、表面シート２０、裏面シート２２及び吸収体３０を有する。表面シート２０は、吸収パッド１０の着用時に、着用者の肌に面する。表面シート２０は吸収体３０を覆っている。表面シート２０は、液透過性のシートから構成されていてよい。
【００３７】
裏面シート２２は、吸収パッド１０の着用時に、着用者の肌とは反対側へ向けられ、使い捨ておむつに面する。裏面シート２２は、液不透過性のシートから構成されていてよい。
【００３８】
吸収体３０は、表面シート２０と裏面シート２２との間に設けられる。吸収体３０は、吸収材料からなる吸収コア３２を含む。吸収コア３２を構成する吸収材料は、例えば、親水性繊維、パルプ及び高吸水性高分子（ＳＡＰ）から形成できる。吸収体３０は、吸収コア３２を包むコアラップ３４を有する。コアラップ３４は、例えば不織布又はティッシュシートから構成することができる。
【００３９】
吸収コア３２は単層構造であることが好ましい。言い換えると、吸収パッド１０を伸長させた状態及び吸収パッド１０の自然状態において、各領域の吸収コア３２は、厚み方向において互いに重なることなく配置されている。これにより、吸収体３０の厚みを抑制することができる。特に、吸収パッド１０は、使用時におむつに装着されるため、履き心地の観点からできるだけ薄いことが好ましい。
【００４０】
吸収パッド１０は、サイドシート５０及び弾性部材５２を有していてもよい。サイドシート５０は、裏面シート２２の非肌面側から、吸収パッド１０の幅方向Ｗの外側縁を通って、表面シート２０側へ延びている。幅方向Ｗにおけるサイドシート５０の内側部は、表面シート２０側で折り返されている。これにより、サイドシート５０は弾性部材５２を包んでいる。
【００４１】
弾性部材５２は、長手方向Ｌに伸長した状態でサイドシート５０に取り付けられる。弾性部材５２は外力が働いていない状態で収縮した状態になり、これによって、サイドシート５０の表面シート２０側に、起立性のギャザーが構成される。この起立性のギャザーによって液体の横漏れを抑制することができる。
【００４２】
幅方向Ｗにおけるサイドシート５０の内側部は、長手方向Ｌにおける両端部の接合領域で表面シート２０と接合されている。すなわち、サイドシート５０は、接合領域では表面シート２０から起立不能となっている。
【００４３】
吸収パッド１０は、裏面シート２２の非肌面側に、おむつに係止する係止部９０を有する。係止部９０は、幅方向Ｗに延びている。図１では、係止部９０が点線によって透視的に示されている。係止部９０は、おむつの肌面側の表面に係止可能な部材であればよい。例えば、係止部９０は、不織布に係合可能なフックを有するメカニカルテープであってよい。
【００４４】
幅方向Ｗにおける係止部９０の両端部は、シート、ここではサイドシート５０によって覆われている。これにより、係止部９０の角が露出しないので、使用者の指に係止部９０がひっかかる虞が低減される。
【００４５】
図４及び図５に示すように、吸収体３０は、中央領域Ｃ及び周縁領域Ｐを有する。中央領域Ｃは、吸収体３０の中心を含み、吸収体３０の縁を含まない領域である。吸収パッドの着用時に、中央領域Ｃは着用者の股下に位置する。周縁領域Ｐは、中央領域Ｃを取り囲む領域であり、吸収体３０の縁を含んでいる。
【００４６】
中央領域Ｃは、第１中央域Ｃ１と、長手方向Ｌにおける第１中央域Ｃ１の前後に配置された第２中央域Ｃ２と、を有する。第２中央域Ｃ２は、第１中央域Ｃ１及び周縁領域Ｐよりも低い剛性を有することが好ましい。
【００４７】
吸収体３０は、第１圧搾溝４０及び一対の低坪量領域４２を有する。第１圧搾溝４０は、中央領域Ｃにおいて、吸収体３０の非肌面側に施されている。第１圧搾溝４０は、幅方向Ｗの中央で、長手方向Ｌに延びている。長手方向Ｌにおける第１圧搾溝４０の長さは、長手方向Ｌにおける一対の低坪量領域４２の長さより短くてよい。
【００４８】
一対の低坪量領域４２は、長手方向Ｌに沿って延びている。一対の低坪量領域４２は、中央領域Ｃに対して幅方向Ｗに隣接する周縁領域Ｐと中央領域Ｃとの境界に設けられている。
【００４９】
低坪量領域４２は、中央領域Ｃ及び周縁領域Ｐにおける吸収コア３２の坪量（目付）よりも低い坪量の吸収コアからなる領域、又は実質的に吸収コアを含まない領域によって定義される。低坪量領域４２は、０〜２００ｇ／ｍ２の坪量の吸収コアを含む領域であってよい。低坪量領域４２は、好ましくは１５０ｇ／ｍ２以下、より好ましくは１００ｇ／ｍ２以下の坪量の吸収コアを含む領域である。
【００５０】
低坪量領域４２は、吸収パッド１０の剛性が変化する境目となる。したがって、低坪量領域４２は、吸収パッド１０が変形し易い領域に相当する。
【００５１】
低坪量領域４２は実質的に吸収材料を含まない領域であってもよい。すなわち、低坪量領域４２は、吸収コア３２の坪量が零の領域を含む概念である。ここで、実質的に吸収コアを含まない領域は、吸収コア３２を構成する吸収材料を設計上含まない領域を意味している。言い換えると、実質的に吸収コアを含まない領域は、製造時に微量の吸収材料が混入した領域を含む概念であり、低坪量領域４２に隣接する第２中央域Ｃ２の坪量の５％以下の吸収材料を含んでいてもよい概念として定義される。
【００５２】
低坪量領域４２は実質的に吸収材料を含まない領域である場合、低坪量領域４２とそのまわりの領域との間の厚みの差が大きくなり、低坪量領域４２が曲がり基点になり易い。したがって、幅方向Ｗの外側から内側へ力がかかったときに、吸収パッド１０及び吸収体３０が低坪量領域４２のところで変形し易くなる。したがって、吸収パッド１０が幅方向Ｗに沿った断面視でＷ型に変形し易く、着用者の体にフィットし易い。
【００５３】
吸収コア３２は、好ましくは、低坪量領域４２が設けられた長手方向Ｌの範囲内において、幅方向Ｗにおける吸収パッド１０の縁まで延びている。吸収コア３２が存在する領域は、吸収パッド１０のなかで比較的剛性が高い領域である。すなわち、比較的剛性の高い領域が、吸収パッド１０の幅方向Ｗの縁部まで延びている。これにより、吸収パッド１０の幅方向Ｗの縁部から幅方向内側へ向いた力が加えられたとき、その力が効率的に、一対の低坪量領域４２や中央領域Ｃに伝わる。これにより、吸収パッド１０は、後述するように、使用時に着用者の体にフィットするようにより変形し易くなる。
【００５４】
なお、本実施形態において、吸収コア３２は、少なくとも低坪量領域４２が設けられた長手方向Ｌの範囲内において、長手方向Ｌに沿った直線状の外形線を有している。
【００５５】
剛性変化部４６が、係止部９０と重複する領域であって、吸収体３０の非肌面、又は吸収体３０よりも非肌面側に設けられている。すなわち、剛性変化部４６は、係止部９０と重複する領域で、かつ厚み方向Ｔにおいて係止部９０に近接して設けられている。これにより、係止部９０は、剛性変化部４６による剛性差によって曲がり易くなる。したがって、吸収パッド１０は、幅方向Ｗに延びた係止部９０の領域でも曲がり易くなり、着用者の腹や背の丸みに沿って変形したおむつの形状に追従して変形し易くなる。よって、吸収パッド１０がおむつから外れにくくなる。
【００５６】
なお、係止部９０を曲げ易くする効果を確実に得るため、吸収パッド１０を構成する部材のなかで比較的肉厚の吸収体よりも非肌面側に剛性変化部４６が形成される必要がある。
【００５７】
図３に示すように、剛性変化部４６は、吸収体３０の非肌面に形成された凹部であることが好ましい。以下、この凹部にも符号「４６」を付すものとする。吸収体３０の凹部４６は、吸収体の目付を低くした低剛性の領域から形成することもでき、又は吸収体３０の非肌面側から形成したエンボス（圧搾部）により形成することもできる。エンボスは、厚み方向において吸収体３０のほぼ全体に形成されていてもよく、厚み方向における一部の領域まで形成されていてもよい。エンボスを厚み方向においてほぼ全領域まで形成した場合、吸収体３０による液体の吸収後もエンボスが消失しにくいため、エンボスによる係止部９０の曲がり易さの効果を維持することができる。エンボスを厚み方向における一部の領域（例えば、半分の厚み）まで形成した場合、使用者はエンボス部分にも吸収体３０がしっかりと存在しているように認識するため、液体が漏れるという不安感を抑制することができる。
【００５８】
剛性変化部を吸収体３０の凹部４６から形成することにより、剛性変化部を容易に設けることができる。また、吸収体３０の非肌面側に凹部４６を形成することで、吸収体３０の肌面側の一面になるべく凹凸を付けないようにすることができる。これにより、着用者に心地良い着用感を与えることができる。
また、吸収体３０の肌面側の一面になるべく凹凸を付けないという観点からは、吸収体の肌面側に凹部が形成されていないことが好ましい。
【００５９】
剛性変化部は、係止部９０が延びる方向に対して傾いた傾斜方向に沿って延びる線状の凹部４６を含むことが好ましい（図５参照）。この代わりに、剛性変化部は、係止部９０が延びる方向に対して傾いた傾斜方向に沿って並んだ複数の点状の凹部の集合から構成されていてもよい。言い換えると、剛性変化部は、係止部９０が延びる方向に対して傾いた傾斜方向に点線又は破線状に並んでいてもよい。
【００６０】
このように剛性変化部が、係止部９０が延びる方向に対して傾いた傾斜方向に沿って配置されていると、係止部９０と厚み方向に重複する領域上に、傾斜方向に沿った剛性変化点が形成される。したがって、係止部９０は幅方向Ｗにより曲げ易くなる。これにより、吸収パッド１０は、幅方向Ｗに延びた係止部９０の領域でも、着用中のおむつの丸みに追従してより変形し易くなり、おむつからより外れにくくなる。
【００６１】
図５に示すように、剛性変化部は、係止部９０が延びる方向に対して傾く、互いに交差する一対の傾斜方向に沿って延びる線状の凹部４６から構成されていることが好ましい。この代わりに、剛性変化部は、係止部９０が延びる方向に対して傾く、互いに交差する一対の傾斜方向に沿って並んだ複数の点状の凹部の集合から構成されていてもよい。言い換えると、複数の点状の凹部の集合又は線状の凹部４６は、少なくとも係止部９０と重複する領域において格子の形状に設けられている。
【００６２】
剛性変化部が、係止部９０が延びる方向に対して傾いた傾斜方向に沿って配置されていると、前述したように係止部９０を幅方向Ｗにより曲げ易くすることができる。さらに、複数の点状の凹部の集合又は線状の凹部４６が少なくとも係止部９０と重複する領域において格子状に設けられているため、係止部９０と重複する領域上で複数の箇所に剛性差が設けられる。これにより、吸収パッド１０は、係止部９０と重複する領域上で着用中のおむつの丸みに追従してより変形し易くなり、おむつからより外れにくくなる。
【００６３】
図５に示すように、剛性変化部を構成する凹部４６からなる格子の複数の頂点は、係止部９０と重複する領域において、幅方向Ｗに間隔をあけて並んでいることが好ましい。これにより、係止部９０と重複する領域において、高剛性の部分と低剛性の部分が幅方向Ｗに交互に並ぶ。したがって、係止部９０を幅方向Ｗにより曲げ易くすることができ、吸収パッド１０は、係止部９０と重複する領域で着用中のおむつの丸みに追従してより変形し易くなり、おむつからより外れにくくなる。
【００６４】
長手方向Ｌにおける係止部９０の長さ９０Ｌは、凹部４６からなる格子によって規定される１つの四角形の長手方向における長さ４６Ｌの半分よりも長い好ましい。これにより、係止部９０又は凹部４６を形成する際に、格子状の凹部４６を係止部９０に正確に位置合わせしなくても、剛性変化部が存在する領域上に係止部９０を配置すれば、格子状の凹部４６の複数の頂点が係止部９０と重複する領域において幅方向に間隔をあけて並ぶことになる。これにより、係止部９０を幅方向Ｗにより曲げ易くすることができ、吸収パッド１０は、幅方向Ｗに延びた係止部９０の領域で着用中のおむつの丸みに追従してより変形し易くなり、おむつからより外れにくくなる。
【００６５】
幅方向Ｗにおける係止部９０の長さは、幅方向Ｗにおける吸収パッド１０の長さよりも短く、剛性変化部は係止部９０よりも幅方向Ｗの外側にも設けられていることが好ましい。具体的に一例として、凹部４６は、係止部９０と重複する領域と、係止部９０よりも幅方向Ｗの外側に設けられている。
【００６６】
係止部９０よりも幅方向Ｗの外側に剛性変化部（凹部４６）が存在するため、係止部９０よりも幅方向Ｗの外側の領域が、着用者の腹や背の丸みに合わせて変形し易くなる。これにより、吸収パッド全体が、着用者の腹や背の丸みに追従して変形し易くなる。
【００６７】
凹部４６が吸収体３０の非肌面側に形成されたエンボスである場合、エンボスは吸収体３０を圧搾することにより形成されるため、エンボスは吸収体３０を構成する吸収コアの密度が比較的高い領域となる。この場合、吸収体３０の剛性を高めることができるので、吸収パッドを長時間使用したときに吸収体がよれることを抑制することができる。このような観点から、凹部４６がエンボスから構成される場合、凹部４６は、係止部９０と重複する領域から係止部９０の外側の領域へ延びていることが好ましい。また、凹部４６は、周縁領域Ｐにおいて全体的に設けられていることがより好ましい。
【００６８】
また、第１中央域Ｃ１にも凹部４７が形成されていてよい。第１中央域Ｃ１の凹部４７はエンボスから構成される。凹部４７は、第１中央域Ｃ１で格子状に形成されている。
【００６９】
係止部９０は、長手方向Ｌにおいて中央領域Ｃよりも前側に配置された第１係止部と、長手方向Ｌにおいて中央領域Ｃよりも後側に配置された第２係止部と、を含む。すなわち、係止部９０は、周縁領域Ｐに設けられており、中央領域Ｃには設けられていない。着用者の股下に対向する中央領域Ｃを避けて係止部９０が設けられているため、吸収パッド１０の中央領域Ｃは着用者の動作に合わせて変形し易く、着用者の身体にフィットした状態を維持し易い。さらに、係止部９０が周縁領域Ｐに設けられているため、吸収パッド１０は着用者の腰回り付近の領域でおむつにしっかりと取り付けられ、おむつから外れにくくなる。
【００７０】
（２）別の実施形態
図６は、別の実施形態に係る吸収パッド１０の非肌面側（おむつに面する側）から見た平面図である。上記実施形態と同一の構成については、同一の符号が付されており、その説明を省略する。
【００７１】
図６に示す実施形態では、係止部は、幅方向Ｗの中央を挟んで幅方向Ｗの両側に分断された第１係止部９０ａと第２係止部９０ｂとを含む。すなわち、係止部は、幅方向Ｗにおける中央のところに存在しない。比較的剛性の高い係止部９０ａ，９０ｂが幅方向Ｗにおける中央で分断されているため、吸収パッド１０は、幅方向Ｗの中央のところで、着用者の身体の丸みに追従して変形したおむつに沿ってより曲がり易くなる。これにより、吸収パッドがおむつからより外れにくくなる。
【００７２】
なお、第１係止部９０ａ及び第２係止部９０ｂの配置は、任意であるが、図１〜５に示す実施形態で説明した位置に設けられていることがより好ましい。
【００７３】
（３）吸収パッドが装着される使い捨ておむつ
図７は、吸収パッドを装着するおむつの一例を示す斜視図である。図８は、展開したおむつに装着した吸収パッドを示す平面図である。図８は、伸長させた状態の吸収パッド及びおむつを示している。使い捨ておむつは、例えば大人用のおむつであってよい。
【００７４】
使い捨ておむつ１は、一例としてパンツタイプの構造を有していてよい。使い捨ておむつ１は、着用者の胴回りに当てられる胴回り領域と、着用者の股下に当てられる股下域と、を有する。前胴回り領域の幅方向Ｗ外側に位置する胴回り縁部４，４’が、後胴回り領域Ｓ２の横方向Ｗの外側に位置する後胴回り縁部６，６’とそれぞれ接合されることによって、使い捨ておむつ１がパンツ型に形成される。使い捨ておむつ１は、パンツ型に形成された状態で、着用者の脚回りを囲む一対の脚回り開口部９を有する。股下域は、一対の脚回り開口部９間の領域である。
【００７５】
使い捨ておむつ１は、吸収性本体１Ａを含む。吸収性本体１Ａは、表面シート、裏面シート、及び表面シートと裏面シートとの間の吸収体１３０を含んでいてよい。吸収体１３０は、少なくとも股下域に設けられている。吸収体１３０は、粉砕パルプや高吸収性ポリマーなどの混合粉体で形成されていてよい。
【００７６】
上述した吸収パッド１０は、使い捨ておむつ１の股下域に装着される。着用者が排泄を行った後、吸収パッド１０のみを取り換えることができる。これにより、使い捨ておむつを長期に使用することができる。
【００７７】
幅方向Ｗにおける吸収パッド１０の幅Ｗ４は、おむつの股下域に配置された吸収体１３０の幅方向Ｗにおける最小幅Ｗ５よりも大きいことが好ましい。これにより、吸収パッド１０がおむつに装着されたとき、吸収パッド１０の幅方向Ｗ外側の両端部が、股下域において、おむつの吸収体１３０の幅方向Ｗの外側へはみ出す。着用者の両脚の間に挟まれることによって着用者の脚から幅方向Ｗの内側へ横から受けた力は、おむつの股下域に配置された吸収体１３０よりも先に吸収パッド１０に伝わる。そのため、吸収パッド１０の変形が促進され、吸収パッド１０が体にフィットするので、吸収パッド１０とおむつを重ねて着用していても着用者に違和感を与えにくい。
【００７８】
また、股下域において、おむつ１の吸収体１３０よりも幅が広い領域まで吸収パッド１０が存在することになるので、液体がおむつ１にまで漏れ難くなる。これにより、おむつを交換することなく、吸収パッド１０のみを何度も交換すればよいという利点がある。
【００７９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００８０】
例えば、上記実施形態では、剛性変化部は、吸収体の非肌面側に形成された凹部から形成される。この代わりに、剛性変化部は、吸収体の非肌面側に形成された凸部、吸収体３０よりも非肌面側に設けられた部材（例えば裏面シート）に形成された凹部又は凸部、係止部９０に形成された凹部又は凸部であってよい。また、剛性変化部は、係止部９０のフックが押しつぶされた領域であってもよい。さらに、剛性変化部は、吸収体３０よりも非肌面側に設けられた不織布、具体的には不織布の境界であってもよい。このように、剛性変化点は、係止部９０を曲げ易くするための剛性の変化点を規定するものであればよい。
【符号の説明】
【００８１】
１０      吸収パッド
２０      表面シート
２２      裏面シート
３０      吸収体
４６      剛性変化部（凹部）
９０      係止部
Ｃ        中央領域
Ｃ１      第１中央域
Ｃ２      第２中央域
Ｐ        周辺領域
Ｌ        長手方向
Ｗ        横方向
【図１】
0006396362.tif 000002
【図２】
0006396362.tif 000003
【図３】
0006396362.tif 000004
【図４】
0006396362.tif 000005
【図５】
0006396362.tif 000006
【図６】
0006396362.tif 000007
【図７】
0006396362.tif 000008
【図８】
0006396362.tif 000009